(57)【要約】【課題】照明調光を行う制御部を有することなく、調光を行い、空間の美観性を損なわない照明器具を提供する。【解決手段】室内面に沿って取り付けられる矩形状の器具本体と、複数の半導体発光素子を有し、前記器具本体の室内面側を後面とする照明器具において、前記照射部として、前記器具本体の前面に前記半導体発光素子が２列以上に並べられた第１照射部と、前記器具本体の後面に前記半導体発光素子が前記第１照射部よりも少ない列に並べられた第２照射部を有することによって、前面、後面における照度の差を実現している。【選択図】図１
2013152887.tif 000002
【特許請求の範囲】
【請求項１】
室内面に沿って取り付けられる矩形状の器具本体と、
複数の半導体発光素子を有する照射部を有し、
前記器具本体の室内面側を後面とする照明器具において、
前記照射部として、
前記器具本体の前面に前記半導体発光素子が２列以上に並べられた第１照射部と、
前記器具本体の後面に前記半導体発光素子が前記第１照射部よりも少ない列に並べられた第２照射部を
有することを特徴とする照明器具。
【請求項２】
請求項１記載の照明器具において、
前記器具本体の後面の周囲に面取り形状を有したことを特徴とする照明器具。
【請求項３】
請求項１または２記載の照明器具において、
前記器具本体と室内面とを前記器具本体の両側で支持する支持具を有し、
前記支持具の外側にも、
前記第２照射部となる前記半導体発光素子を
有することを特徴とする照明器具。
【請求項４】
請求項１〜３のいずれか１項の照明器具において、
第１照射部の直前に透過性パネルを有することを特徴とする照明器具。
【発明の詳細な説明】
【技術分野】
【０００１】
本発明は、半導体発光素子を光源とする照明器具に関する。
【背景技術】
【０００２】
従来、有機ＥＬ発光素子を光源とした天井吊り下げ型照明器具が知られている。また、前記照明器具の前面および後面ともに有機ＥＬ発光素子が装着された照明器具も知られている（特許文献１）。
【先行技術文献】
【特許文献】
【０００３】
【特許文献１】特開２０１０−２５７８６４号公報
【発明の概要】
【発明が解決しようとする課題】
【０００４】
このように、天井吊り下げ型照明器具の前面および後面に有機ＥＬ発光素子を装着することで空間全体を明るく保つことは可能であるが、後面に限っては、照度が高すぎることにより天井面のぎらつきが発生し、空間全体の美観を損ねかねない。
【０００５】
本発明は、上記背景技術に鑑みて発明されたもので、その目的は、照明器具の後面および前面に半導体発光素子を装着し空間全体を明るく保つにも関わらず、天井面のぎらつきを押さえ、空間全体の美観を損ねない照明器具を提供するものである。
【課題を解決するための手段】
【０００６】
室内面に沿って取り付けられた矩形状の器具本体と、複数の半導体発光素子を有する照射部を有し、前記器具本体の室内面側を後面とする照明器具において、前記照射部が、前記器具本体の前面に前記半導体発光素子を２列以上に並べられた第１照射部２と、前記器具本体の後面に前記半導体発光素子を第１照射部よりも少ない列に並べられた第２照射部３を有することを特徴とする照明器具である。
【０００７】
また、前記照明器具において、前記器具本体後面の周囲に面取り形状を有したことを特徴とする照明器具であってもよい。
【０００８】
また、前記照明器具において、前記器具本体と室内面とを前記器具本体の両側で支持する支持具とを有し、前記支持具の外側にも、前記半導体発光素子からなる前記第２照射部３を有することを特徴とする照明器具であってもよい。
【０００９】
また、前記照明器具において、第１照射部２の直前に透光性パネルを有することを特徴とする照明器具であってもよい。
【発明の効果】
【００１０】
本発明の照明器具においては、照明器具の前面・後面に半導体発光素子を有するが、天井面のぎらつきを抑え、良好な演出効果や雰囲気作りが可能な照明器具を提供することができる。
【図面の簡単な説明】
【００１１】
【図１】（ａ）器具本体１の上面図である。（ｂ）器具本体１の底面図である。
【図２】器具本体１の設置図である。
【発明を実施するための形態】
【００１２】
（実施形態）
実施形態を説明する。図１に示す器具本体１は、矩形状の器具本体１であって、室内面に取り付け可能な照明器具である。また、本実施形態では室内面を天井面として説明を行うが、室内面を壁面として実施することも可能である。また、器具本体１を室内面に設置した際、室内面側を器具本体１の後面とし、逆側を器具本体１の前面とする。また、器具本体１の前面・後面には半導体発光素子７を複数枚有している。図１（ｂ）に示す器具本体前面の第１照射部２は床面を照射し、図１（ａ）に示す器具本体後面の第２照射部３は天井面を照射するものである。そして、第１照射部２は整列された状態で設置され、かつ器具本体１の長手方向に沿って２列以上の構成となっている。また、第２照射部３も同様に、器具本体の長手方向に沿って整列された状態で設置され、かつ、第１照射部２よりも少ない列で構成されている。少なくとも、第１照射部２は２列以上、第２照射部３は１列以上で構成され、決して第１照射部２と第２照射部３が同数の列で構成されてはいけない。なぜなら、半導体発光素子７の設置枚数を変化させ、前面・後面の発光照度に差を設け、後面の照度を抑えることで、天井面８のぎらつきを防止しているからである。
【００１３】
なお、器具本体後面と天井面との距離は、器具本体前面と床面の距離よりも近いため、器具本体前面よりも器具本体後面の発光素子設置枚数が少なくても、天井面を照射できる程度の照度を確保可能である。本実施形態では、器具本体前面には、２４枚の半導体発光素子７を、器具本体後面には、８枚の半導体発光素子７を装着している。半導体発光素子７を装着した結果、器具本体の幅は１３４９ｍｍ。奥行き２４７ｍｍとなっている。しかし、ここに示す設置枚数に限ることなく、半導体発光素子７の発光照度などを鑑みて設置枚数を選定することが可能である。
また、天井面を照射することで、人間が感じる空間全体の明るさ感を保つことができ、本実施形態の照明器具は良好な演出効果や雰囲気作りが可能である。
【００１４】
そして、世の中に汎用されている照明器具は、おおよそ天井面から３５０〜４００ｍｍ、床面から２〜３ｍ程度であることが多い。この点から鑑みても、第２照射部３の設置枚数が第１照射部２の設置枚数よりも少なくても天井面を照射する程度の照度を確保できることが分かる。本実施形態においても第２照射部３を天井面から４００ｍｍ、床面から２．６ｍ程度に保つことが最良の実施形態であると考えられる。しかし、この設置距離に関しても、半導体発光素子の発光照度などを鑑みて設置距離を選定することが可能である。
【００１５】
また、図２に示す支持具４は、器具本体１と天井面８を固定するための吊り下げ用の支持具である。支持具４としては、回動可能な支持具、例えば、照射方向を調整可能な支持具であってもよいし、照射方向が調節不可である支持具であってもよい。
【００１６】
なお、本実施形態の第１照射部２および第２照射部３においては、有機ＥＬ発光体を用いることが有効である。なぜならば、ＬＥＤ発光素子よりも有機ＥＬ発光体の方が、拡散性が高く、天井面の光ムラ、天井面のぎらつきを抑制することが可能であるからである。
【００１７】
前記有機ＥＬ発光素子は一つの例として、例えば透明なガラス基板上にＩＴＯなどの透明電極をベタ電極として形成し、前記透明電極上に、さらに発光層を含む有機膜を形成すると共に、当該有機膜上に対向電極をベタ電極として形成した構成になされる。そして、前記透明電極、有機膜、対向電極からなる有機ＥＬ素子は、前記ガラス基板の周囲において接合される封止部材により、その背面側が封止された状態になされる。また、本実施形態に用いる有機ＥＬ素子は、矩形状を有している。
【００１８】
そして、パネル式の有機ＥＬ発光素子を利用することで、パネルの並べ方を変えること
で、容易に照明器具の形状を変更することができる。このことから、空間に合致した最適な形状の照明器具を提供可能である。また、有機ＥＬ発光素子を利用することで、図１に示す器具本体１の薄さを２０〜２５ｍｍ程度とすることができた。Ｈｆ蛍光灯ランプの径が２３〜２６ｍｍ程度であることと比較すると、本実施形態に示す照明器具が非常に薄型であることが分かる。
また、図１に示す器具本体１は、器具本体後面の周囲を面取り形状６とした器具本体１であってもよい。面取り形状６を有することで、清掃時において指等のひっかかりができ隅々まで清掃可能である。本実施形態の照明器具は平板形状からなるため、ホコリ等の汚れが付着する可能性が高い。そこで、清掃時の利便性を追及する必要があるため、本実施形態の形状とした。
【００１９】
また、面取り形状６を用いることで、器具本体１のシルエットが美しく見え、重量感を感じさせず、空間に溶け込む照明器具を提供することが可能である。
【００２０】
また、支持具４は、昇降可能な支持具であってもよい。昇降可能なものであれば、高所での作業を行う必要がなく、安全かつ容易に清掃が可能となる。昇降可能な支持具４であれば、清掃時に限らず、器具本体１の高さを任意の位置に調整することが可能となり、空間のシーンに合わせた器具本体１の設置が可能となる。
また、器具本体１の両側を支持具４で保持する際、支持具の両側にも半導体発光素子を有していてもよい。支持具４の外側にも第２照射部３を有することで、支持具４の影が天井面８に映り込まず、空間の美観を損なうことなく照射することができるようになる。また、支持具４の外側には複数枚の半導体発光素子を有していてもよい。また、支持具４が照明器具の中央に存在する場合は、その両側に半導体発光素子を有していてもよい。
また、器具本体１の前面は透過性パネル５で覆われているものであってもよい。透過性パネル５としては、アクリル樹脂製もしくはガラス製からなるパネルを用いることが可能である。パネルの色としては透過性を有していればよく、空間の美観を損なわない色が好ましい。例えば、乳白色もしくは薄青もしくは薄赤などが考えられる。このように色付きのパネルを用いることで、器具本体１の照射光を容易に調色可能となる。よって空間の状況に応じた照明作りが可能となる。
また、パネルを用いて、光をぼやかすことによって、光ムラをなくし、かつ、発光媒体が直接目につかず、美観性に優れた照明器具となる。なお、有機ＥＬ発光素子の特徴である面発光の特性より、透過性パネル５にはランプイメージが写し出されず、美観性に富んだ照明器具となる。
【産業上の利用可能性】
【００２１】
本発明は、空間全体の美観性を重視する場所での照明器具として活用が見込まれる。
【符号の説明】
【００２２】
１  器具本体
２  第１照射部（前面）
３  第２照射部（後面）
４  支持具
５  透過性パネル
６  面取り形状
７  半導体発光素子
８  室内面（天井面）
【図１】
2013152887.tif 000003
【図２】
2013152887.tif 000004